(57)【要約】【課題】過去にユーザが各々のチャンネルを視聴した時間からユーザの好みを分析した嗜好データベースと嗜好の度合を表示する手段を用いて、ユーザの好みが強いサービスを画面に表示もしくは優先的に選局することが可能な放送受信装置を提供する。【解決手段】放送受信装置は、放送信号を受信する受信手段と、受信するサービスを選択する選局手段と、受信した放送信号から映像音声情報を取得する復調手段と、画面や出力端子に映像音声を出力する出力手段と、前記受信手段、前記選局手段、前記復調手段及び前記出力手段をコントロールするＣＰＵと、視聴者の選局操作からそれぞれの放送サービスに対する視聴者の嗜好度合いを分析する嗜好分析手段と、視聴者の嗜好を分析した結果を保存する嗜好データベースと、嗜好度合いを表示する嗜好表示手段を備える。【選択図】図１
2008135797.tif 000002
【特許請求の範囲】
【請求項１】
放送信号を受信する受信手段と、受信するサービスを選択する選局手段と、受信した放送信号から映像音声情報を取得する復調手段と、画面や出力端子に映像音声を出力する出力手段と、前記受信手段、前記選局手段、前記復調手段及び前記出力手段をコントロールするＣＰＵと、視聴者の選局操作からそれぞれの放送サービスに対する視聴者の嗜好度合いを分析する嗜好分析手段と、視聴者の嗜好を分析した結果を保存する嗜好データベースと、嗜好度合いを表示する嗜好表示手段を備えることを特徴とする放送受信装置。
【請求項２】
前記選局手段は、選局先サービスの選択方法にサービス番号の昇順および降順、サービス番号の直接入力、サービス一覧からの選択などの複数の方法によって選局先サービスの選択を行い、前記嗜好分析手段は、前記選局手段での選局操作の履歴からそれぞれの放送サービスに対する視聴者の嗜好度合いを分析することを特徴とする請求項１記載の放送受信装置。
【請求項３】
前記嗜好データベースと前記選局手段は、サービスを順に選局してユーザにサービスの放送内容の紹介を行う際に、嗜好データベースに保存された視聴者の嗜好の高さに応じて各サービスの選局を継続する時間を変更することが可能であることを特徴とする請求項１記載の放送受信装置。
【請求項４】
放送信号を受信する複数の受信手段と、各受信手段が受信するサービスを決定する複数の選局手段と、受信した放送信号から映像音声情報を取得する複数の復調手段と、画面や出力端子に映像音声を出力する出力手段と、前記受信手段、前記選局手段、前記復調手段及び前記出力手段をコントロールするＣＰＵと、視聴者の選局操作からそれぞれの放送サービスに対する視聴者の嗜好度合いを分析する嗜好分析手段と、視聴者の嗜好を分析した結果を保存する嗜好データベースと、嗜好度合いを表示する嗜好表示手段とを備え、複数チューナのひとつを使用してユーザの嗜好の高い映像音声情報を記憶し、記憶された映像音声を視聴者の嗜好度合いと共に画面上に表示する放送受信装置。
【発明の詳細な説明】
【技術分野】
【０００１】
本発明は、ユーザの視聴方法と視聴状態を分析し、ユーザの嗜好に見合った選局方法を提供可能な放送受信装置に関する。
【背景技術】
【０００２】
従来、多チャンネルの中から、ユーザが所望のチャンネルを効率よく選択して視聴することができる放送受信装置がある（例えば、特許文献１、特許文献２参照）。
【特許文献１】特開２０００−２５３３２５号公報
【特許文献２】特開平１１−２２０６７５号公報
【発明の開示】
【発明が解決しようとする課題】
【０００３】
しかしながら、上記従来の放送受信装置では、多チャンネルサービスを提供する放送において、ユーザの嗜好に見合ったチャンネルを即座に選択しにくいという問題があった。
【０００４】
本発明は、過去にユーザが各々のチャンネルを視聴した時間からユーザの好みを分析した嗜好データベースと嗜好の度合を表示する手段を用いて、ユーザの好みが強いサービスを画面に表示もしくは優先的に選局することが可能な放送受信装置を提供することを目的とする。
【課題を解決するための手段】
【０００５】
本発明の放送受信装置は、放送信号を受信する受信手段と、受信するサービスを選択する選局手段と、受信した放送信号から映像音声情報を取得する復調手段と、画面や出力端子に映像音声を出力する出力手段と、前記受信手段、前記選局手段、前記復調手段及び前記出力手段をコントロールするＣＰＵと、視聴者の選局操作からそれぞれの放送サービスに対する視聴者の嗜好度合いを分析する嗜好分析手段と、視聴者の嗜好を分析した結果を保存する嗜好データベースと、嗜好度合いを表示する嗜好表示手段を備えることを特徴とする。
【発明の効果】
【０００６】
本発明の放送受信装置によれば、多くのチャンネルの中からユーザが多く視聴する傾向の強いサービスを優先的な選局候補として挙げ、より効果的に好みのサービスを探し出すことが可能となる。
【発明を実施するための最良の形態】
【０００７】
（実施の形態１）
図１は本発明の実施の形態１である放送受信装置１００の構成を示すブロック図である。アンテナによって受信された放送電波は、受信手段１０１において指定されたサービス（チャンネル）の信号が抽出され、復調手段１０２において、映像・音声信号に変換され出力手段１０３を経由してディスプレイ１２０やスピーカ１２１に出力する。ＣＰＵ１０４は放送受信装置１００全体のシステムを管理するマイクロコンピュータであり、各手段およびメッセージの制御を行う。選局手段１０５はＣＰＵ１０４からサービス番号を受信手段に選局パラメータを設定する。
【０００８】
嗜好分析手段１０６は選局手段１０５が選局処理を行う際に、選局手段１０５から選局先の情報や選局先を決定した手段を受け取り、各サービスに対するユーザの嗜好度合いを数値化し、嗜好データベース１０７に嗜好度合いを保存する。嗜好データベース１０７は数値化された各サービスに対するユーザの嗜好度合いを保存する。タイマ１０８は視聴者が各サービスを視聴している時間を測定する。描画手段１０９は画面に文字や図形を表示するために空間上にＯＳＤ（オンスクリーンディスプレイ）を描画し、出力手段１０３を通じてディスプレイ１２０やスピーカ１２１に出力する。ディスプレイ１２０、スピーカ１２１は映像や音声を出力する手段である。
【０００９】
本実施の形態１の放送受信機では、視聴者による選局操作には複数の方法がある。例えば図２中に示す選局方法ではサービス番号によって順序付けられた視聴可能なサービスの一覧（サービスリスト）を昇順で選局していく方法（チャンネルアップ）および降順で選局していく方法（チャンネルダウン）の例を示している。
【００１０】
図３では図２に示したサービスリストと同一のサービスリストをディスプレイ１２０上に一覧で表示し、カーソルによってサービスを選ぶことで視聴するサービスを選択する方法（ザッパー選局）の例を示している。
【００１１】
図４ではディスプレイ１２０上にＯＳＤ表示された入力画面により図２に示したサービスリストと同一のサービスリスト番号を数字入力して視聴したいサービスを選択して視聴する方法（数値入力選局）の例を示している。
【００１２】
図５ではディスプレイ１２０上にＯＳＤ表示された電子番組表（ＥＰＧ）上をカーソルによって移動し、番組とサービスの一覧から視聴したいサービスを選択して視聴する方法（ＥＰＧ選局）の例を示している。
【００１３】
図２から図５に示すように本実施の形態１に示す放送受信機は、視聴するサービスを選ぶために複数の選局方法を提供する。視聴者はこれらのうち利便性が高い方法を都度選択して選局操作を行なうが、各選局方法には図６を例とする選局方法と視聴者の視聴意欲の度合いの関係が選局係数テーブルとして関連付けられている。
【００１４】
次に、本実施の形態１の放送受信機１００における選局動作時の処理手順（図７）を用いて説明する。放送受信装置１００においては、受信機の電源が入れられることによりシステムが起動し前回の電源断時に視聴していたサービスが起動選局される（Ｓ７０１）。選局が実行されるとＣＰＵ１０４は嗜好分析手段１０６に選局の実施を通知し、嗜好分析手段１０６は選局係数テーブルから選局の嗜好係数値を参照し、嗜好度算出係数として設定する（Ｓ７０３）。次に、タイマ１０８がリセットされ選局したサービスの視聴時間の計測が開始される（Ｓ７０４）。
【００１５】
視聴中は選局がなければシステムは定期的に単位時間あたりの嗜好度Δｆを算出し、嗜好データベースに保存する（Ｓ７０５）。また選局があった場合には、前回のΔｆの保存から現在までの時間をタイマから取得し（Ｓ７０６）、この時間に対する嗜好度Δｆを算出し嗜好データベースに保存した後に（Ｓ７０７）選局を行う（Ｓ７０８）。
【００１６】
この嗜好度Δｔ算出・保存処理の概念図を図８に示す。図８はある時間０からｔ２の期間にサービスＡＡとサービスＡＢを視聴した場合の嗜好度の算出方法を示した図である。
【００１７】
この例では時間０にサービスＡＡの選局がザッパーにより行われ、時間ｔ１にチャンネルアップでサービスＡＢへの選局が行われたとする。ザッパーの選局係数をＵｚとすると時間０からｔ１の期間においては、単位時間当たりの嗜好度ΔｆはΔｔｘＵｚで与えられる。この単位時間あたりの嗜好度Δｆは算出された直後に嗜好度データベースに保存される。保存する際には、サービスの番号と時間情報を付加して保存し、最大保存時間が経過したΔｆは自動的に削除される。
【００１８】
このようにΔｆ蓄積を連続的に蓄積することで各サービスに対するΔｆが保存され、Δｆを積分することで各サービスに対する嗜好度Ｆが算出される。このＳ７０２からＳ７０８の処理は視聴者が視聴を継続する限り行われ、最大保存期間分のΔｆが嗜好データベースに保存される。嗜好データベースに保存された各サービスに対する嗜好度Ｆは、ユーザの選局の利便性を高めるために使用する。
【００１９】
図９はユーザの選局の利便性を高めるために、各サービスリスト中のサービスを嗜好の度合い応じてレベル付けした様子を示す図である。Ｆ１からＦ４はシステムで定義される閾値であり、これらの閾値を用いて、閾値データベース１０７に保存されたＦの値を例えば０からＦ１の間は視聴者がほとんど視聴していない領域、Ｆ１からＦ２の間は視聴者が時折視聴している領域、というように、視聴者が最もよく視聴している領域までを設け、お好みレベルとしてレベル付けする。
【００２０】
このレベル付けの結果を、図３で示したザッパー画面上に表示した様子を図１０に示す。視聴者の嗜好度をお好みレベルとして簡便に画面上に表示することにより、視聴者が特に意識することなく、自分の好みのサービスを認識でき、サービスリストの並び替えに用いるなど利便性の高い選局方法をもった放送受信機を提供できる。
【００２１】
また本実施例においては、嗜好度算出の際に単に視聴時間を根拠として視聴者の嗜好を分析するのではなく、選局方法による視聴者の視聴意欲の違いを用いて嗜好分析を行ったことにより、より効果的な嗜好分析が可能となった。
【００２２】
（実施の形態２）
図１１は本発明の実施の形態２である放送受信装置１１００の構成を示すブロック図である。本実施の形態２に示す放送受信装置１１００は１系統のアンテナ入力に対して並列に接続された別個の複数の受信系統を有することを特徴のひとつとする。
【００２３】
アンテナによって受信された放送電波は、受信手段１（１１０１）および受信手段２（１１３１）において指定されたサービス（チャンネル）の信号が抽出され、復調手段１（１１０２）および復調手段２（１１３２）において、映像・音声信号に変換され出力手段１１０３を経由してディスプレイ１１２０やスピーカ１１２１に出力される。ＣＰＵ１１０４は放送受信装置１１００全体のシステムを管理するマイクロコンピュータであり、各手段およびメッセージの制御を行う。選局手段１（１１０５）および選局手段２（１１３５）はＣＰＵ１１０４からサービス番号を受信手段に選局パラメータを設定する。
【００２４】
嗜好分析手段１１０６は選局手段１（１１０５）および選局手段２（１１３５）が選局処理を行う際に、選局手段から選局先の情報や選局先を決定した手段を受け取り、各サービスに対するユーザの嗜好度合いを数値化し、嗜好データベース１１０７に嗜好度合いを保存する。嗜好データベース１１０７は数値化された各サービスに対するユーザの嗜好度合いを保存する。タイマ１１０８は視聴者が各サービスを視聴している時間を測定する。描画手段１１０９は画面に文字や図形を表示するために空間上にＯＳＤ（オンスクリーンディスプレイ）を描画し、出力手段１１０３を通じてディスプレイ１１２０やスピーカ１１２１に出力する。ディスプレイ１１２０、スピーカ１１２１は映像や音声を表示する手段である。
【００２５】
自動選局手段１１４０は視聴者の操作に関わらず、システムが独自に選局動作を発起する。この自動選局手段１１４０は例えば視聴者が１つのサービスをディスプレイ１１２０およびスピーカ１１２１で視聴中に受信手段１（１１０１）から復調手段（１１０２）によって取得した受信系を使用している際に、受信手段２（１１３１）、復調手段２（１１３２）、選局手段２（１１３５）を操作し、視聴者が視聴する映像とは別の第２の映像音声信号を取得するものである。この際の第２の映像音声信号は、出力手段より別途映像音声記憶手段１１４１に保存することが可能である。
【００２６】
本実施の形態２に示す放送受信機においては、視聴者による選局操作には複数の方法がある。例えば図２中に示す選局方法ではサービス番号によって順序付けられた視聴可能なサービスの一覧（サービスリスト）を昇順で選局していく方法（チャンネルアップ）および降順で選局していく方法（チャンネルダウン）の例を示している。
【００２７】
図３では図２に示したサービスリストと同一のサービスリストをディスプレイ１２０上に一覧で表示し、カーソルによってサービスを選ぶことで視聴するサービスを選択する方法（ザッパー選局）の例を示している。
【００２８】
図４ではディスプレイ１２０上にＯＳＤ表示された入力画面により図２に示したサービスリストと同一のサービスリスト番号を数字入力して視聴したいサービスを選択して視聴する方法（数値入力選局）の例を示している。
【００２９】
図５ではディスプレイ１２０上にＯＳＤ表示された電子番組表（ＥＰＧ）上をカーソルによって移動し、番組とサービスの一覧から視聴したいサービスを選択して視聴する方法（ＥＰＧ選局）の例を示している。
【００３０】
図２から図５に示すように本実施の形態２に示す放送受信機は、視聴するサービスを選ぶために複数の選局方法を提供する。視聴者はこれらのうち利便性が高い方法を都度選択して選局操作を行なうが、各選局方法には図６を例とする選局方法と視聴者の視聴意欲の度合いの関係が選局係数テーブルとして関連付けられている。
【００３１】
このように２系統の信号受信系を持つ放送受信機において、信号受信系の一方選局手段１（１１０５）、受信手段１（１１０１）、復調手段２（１１０２）を主受信系、もう一方の選局系、選局手段２（１１３３）、受信手段２（１１３１）、復調手段２（１１３２）を副受信系として使用する場合の処理手順を図１２に示す。
【００３２】
放送受信装置１１００においては、受信機の電源が入れられることによりシステムが起動し前回の電源断時に視聴していたサービスを主受信系における選局手段１（１１０５）によって選局し（Ｓ１２０１）、次に、副受信動作（Ｓ１２０２）を開始する。副受信動作（Ｓ１２０２）については後述する。
【００３３】
選局手段１（１１０５）によって選局が実行されるとＣＰＵ１２０４は嗜好分析手段１１０６に選局の実施を通知し、嗜好分析手段１１０６は選局の手段を取得し（Ｓ１２０３）選局係数テーブルから選局の嗜好係数値を参照し嗜好度算出係数として設定する（Ｓ１２０４）。次に、タイマ１０８がリセットされ選局したサービスの視聴時間の計測が開始される（Ｓ１２０６）。
【００３４】
視聴中は選局がなければシステムは定期的に単位時間あたりの嗜好度Δｆを算出し、嗜好データベースに保存する（Ｓ１２０７）。また選局があった場合には、前回のΔｆの保存から現在までの時間をタイマから取得し（Ｓ１２０８）、この時間に対する嗜好度Δｆを算出し嗜好データベースに保存した後に（Ｓ１２０９）選局を行う（Ｓ１２１０）。
【００３５】
この嗜好度Δｔ算出・保存処理の概念図を図８に示す。図８はある時間０からｔ２の期間にサービスＡＡとサービスＡＢを視聴した場合の嗜好度の算出方法を示した図である。
【００３６】
この例では時間０にサービスＡＡの選局がザッパーにより行われ、時間ｔ１にチャンネルアップでサービスＡＢへの選局が行われたとする。ザッパーの選局係数をＵｚとすると時間０からｔ１の期間においては、単位時間当たりの嗜好度ΔｆはΔｔｘＵｚで与えられる。この単位時間あたりの嗜好度Δｆは算出された直後に嗜好度データベースに保存される。保存する際には、サービスの番号と時間情報を付加して保存し、最大保存時間が経過したΔｆは自動的に削除される。
【００３７】
このようにΔｆ蓄積を連続的に蓄積することで各サービスに対するΔｆが保存され、Δｆを積分することで各サービスに対する嗜好度Ｆが算出される。このＳ１２０３からＳ１２１０の処理は視聴者が視聴を継続する限り行われ、最大保存期間分のΔｆが嗜好データベースに保存される。
【００３８】
以上の動作とは独立して動作する副受信動作（Ｓ１２０２）の処理を説明する。受信機の起動後に開始される副受信動作（Ｓ１２０２）では、嗜好データベースから視聴者の各サービスに対する嗜好度Ｆを読み出し、サービスリストの先頭のサービスを初回選局サービスと決定し（Ｓ１２５２）、このサービスに対して嗜好度に応じた選局予定時間ｓを設定する（Ｓ１２５３）。選局予定時間ｓは例えば嗜好度Ｆに比例した秒数など、嗜好度が高いサービスほど長時間になるように設定する。選局予定時間ｓを設定した後に自動選局手段１１４０は選局手段２（１１３３）を経由して受信手段２（１１３１）をＳ１２５１で決定したサービスに選局する。また同時に映像音声記憶手段（１１４１）に受信手段２（１１３１）、復調手段２（１１３２）によって取得される映像音声信号の記録を開始する（Ｓ１２５５）。この保存処理はＳ１２５３で設定され選局予定時間ｓが経過するまで行われ、時間ｓ経過後は保存を終了し保存処理を終了する（Ｓ１２５６）。更に自動選局手段１１４０は次に選局するサービスを決定し（Ｓ１２５７）、嗜好度データベースの更新を行った後（Ｓ１２５８）次のサービスの選局および映像、音声処理保存処理を行う。
【００３９】
この一連の副受信動作は副受信系が録画や他の情報の蓄積に使用されてない場面では常に継続して行われ、映像音声記憶手段１１４１には図１３に示すようなサービスの嗜好度の高さに応じた映像音声信号が保存される。この保存された映像音声信号をサムネイルと呼ぶ。
【００４０】
また、全てのサービスの保存処理が終了した後は、サービスリストの先頭に戻り、保存されたサムネイルの更新のためにＳ１２５３からＳ１２５７の処理を継続する。
【００４１】
図１３は映像音声記憶手段１１４１の記憶空間内に保存された各サービスのサムネイルの様子を示す図である。嗜好量の段階に応じた時間長のサムネイルが保存されている。
【００４２】
この嗜好度とサムネイルを用いてユーザの選局の利便性を高めた様子を図１４および図１５に示す。
【００４３】
図９はユーザの選局の利便性を高めるために、各サービスリスト中のサービスを嗜好の度合い応じてレベル付けした様子を示す図である。Ｆ１からＦ４はシステムで定義される閾値であり、これらの閾値を用いて、閾値データベース１０７に保存されたＦの値を例えば０からＦ１の間は視聴者がほとんど視聴していない領域、Ｆ１からＦ２の間は視聴者が時折視聴している領域、というように、視聴者が最もよく視聴している領域までを設け、お好みレベルとしてレベル付けする。
【００４４】
このレベル付けの結果を、サムネイルと同時に画面上に表示した様子を図１４に示す。視聴者の嗜好度をお好みレベルとして簡便に画面上に表示し、また視聴者の嗜好度が高いサービスのサムネイルを長時間取得表示することにより、視聴者の嗜好が高いサービスの放送内容を容易に確認することができる。また嗜好度が高いサービスだけに限定したサムネイル表示を行うことで、嗜好度の高いサムネイルのみを視聴することも容易になる。
【００４５】
またこのレベル付けの結果を、番組表の一部分に表示した場合の様子を図１５に示す。図１５は主受信系が受信中の映像音声とともに、番組の一覧が表示されている番組表に、映像音声記憶手段１１４１に保存された他のサービスのサムネイルを表示した例である。図１４、図１５の例ではともに主・副受信機として受信系が２つしか存在しない場合でもサムネイルによって３つ以上の他のサービスの様子を表示することが可能となり、視聴者が他サービスの様子を視覚的に、容易に確認できる。また嗜好度合いの高いサービスについてはより長時間のサムネイルを表示することでより視聴者の嗜好にあったサムネイル表示を実現できる。
【産業上の利用可能性】
【００４６】
本発明の放送受信装置は、ユーザの嗜好に見合ったサービスを優先的に選局候補として挙げ、より効果的に好みのサービスを探し出すことができるため、複数のサービスを受信し、受信したサービスの中から所望のサービスを選択する必要がある全てのＡＶ機器で有用である。
【図面の簡単な説明】
【００４７】
【図１】本発明の実施の形態１に係る放送受信装置の構成を示すブロック図
【図２】チャンネル選局方法として、チャンネルアップダウン選局を示す図
【図３】チャンネル選局方法として、ザッパー選局を示す図
【図４】チャンネル選局方法として、数値入力選局を示す図
【図５】チャンネル選局方法として、ＥＰＧ選局を示す図
【図６】選局方法と選局係数との対応関係を示す図
【図７】本発明の実施の形態１に係る選局動作を示すフローチャート
【図８】嗜好度Δｔ算出・保存処理の概念を示す図
【図９】各サービスリスト中のサービスを嗜好の度合い応じてレベル付けした様子を示す図
【図１０】レベル付けの結果をザッパー画面上に反映した図
【図１１】本発明の実施の形態２に係る放送受信装置の構成を示すブロック図
【図１２】本発明の実施の形態２に係る選局動作を示すフローチャート
【図１３】各サービスのサムネイルの様子を示す図
【図１４】レベル付けの結果を、サムネイルと同時に画面上に表示した図
【図１５】レベル付けの結果を、番組表の一部分に表示した図
【符号の説明】
【００４８】
１００    放送受信装置
１０１    受信手段
１０２    復調手段
１０３    出力手段
１０４    ＣＰＵ
１０５    選局手段
１０６    嗜好分析手段
１０７    嗜好度データベース
１０８    タイマ
１０９    描画手段
１２０    ディスプレイ
１２１    スピーカ
【図１】
2008135797.tif 000003
【図２】
2008135797.tif 000004
【図３】
2008135797.tif 000005
【図４】
2008135797.tif 000006
【図５】
2008135797.tif 000007
【図６】
2008135797.tif 000008
【図７】
2008135797.tif 000009
【図８】
2008135797.tif 000010
【図９】
2008135797.tif 000011
【図１０】
2008135797.tif 000012
【図１１】
2008135797.tif 000013
【図１２】
2008135797.tif 000014
【図１３】
2008135797.tif 000015
【図１４】
2008135797.tif 000016
【図１５】
2008135797.tif 000017